(57)【特許請求の範囲】
【請求項１】
表面に塗装がされた金属パネル板に孔が形成されて、金属枠を有するコネクタ又はソケットが上記孔に通された状態に取り付けられた電子内視鏡用プロセッサにおいて、
上記金属枠は、上記孔に通される部分と上記孔より大きな鍔部とを備えていて、その鍔部が上記金属パネル板の表面に押圧され、
上記金属パネル板の表面のうち上記金属枠の鍔部が圧接される部分には上記塗装をせず、上記金属枠の鍔部を上記金属パネル自体に直接接触させて上記金属パネルと電気的に導通させたことを特徴とする電子内視鏡用プロセッサ。
【請求項２】
上記金属パネル板が、上記電子内視鏡用プロセッサの背面を塞ぐ背面パネルである請求項１記載の電子内視鏡用プロセッサ。
【請求項３】
上記コネクタ類の金属枠がアース線に接続されている請求項１又は２記載の電子内視鏡用プロセッサ。
【発明の詳細な説明】
【０００１】
【発明の属する技術分野】
この発明は電子内視鏡用プロセッサに関する。
【０００２】
【従来の技術】
電子内視鏡用プロセッサは筐体によって囲まれているが、一般にその背面パネル板には他の機器や電源等に接続するためのコネクタやソケット等（以下「コネクタ類」という）が取り付けられている。
【０００３】
図５は、商用電源に接続するために従来の電子内視鏡用プロセッサの背面に設けられたＡＣ入力ソケット９０を示しており、電子内視鏡用プロセッサの背面パネル板９１に形成された孔９２に外側から差し込まれて、その鍔部９０ａが図示されていないビスによって背面パネル板９１にネジ止め固定され、背面パネル板９１に圧接される状態になっている。ＡＣ入力ソケット９０の外面を囲む枠体９０ｂは金属製であり、シャーシ９３に接続されたアース線９４に直結されている。
【０００４】
【発明が解決しようとする課題】
背面パネル板９１は導電性の金属板製であるが、その表面には主に絶縁のための塗料９１ａが塗られていて、ＡＣ入力ソケット９０の鍔部９０ａはその上から圧接されている。したがって、その部分での電気的導通はほとんどない。
【０００５】
その結果、ＡＣ入力ソケット９０の枠体９０ａは背面パネル板９１に対して孔９２部分だけで接触しているので、その接触状態は不安定なものであり、接触していても実質的な接触面積は小さい。
【０００６】
そのため、ＡＣ入力ソケット９０に対する確実なアース経路はアース線９４だけとなるが、シャーシ９３から枠体９０ｂまで距離があること、及びアース線９４の断面積が小さいことから、このアース経路におけるインピーダンスを十分低くすることができず、ＡＣ入力ソケット９０の枠体９０ａが内蔵する信号線に対するシールド効果を十分に発揮できないため、ＡＣ入力ソケット９０部分において外部へのノイズ放射（或いは外部からのノイズ侵入）が発生する場合があった。
【０００７】
そこで本発明は、パネル板に取り付けられたコネクタ類部分でのシールド効果を高めることができる電子内視鏡用プロセッサを提供することを目的とする。
【０００８】
【課題を解決するための手段】
上記の目的を達成するため、本発明の電子内視鏡用プロセッサは、表面に塗装がされた金属パネル板に、金属枠を有するコネクタ類が取り付けられた電子内視鏡用プロセッサにおいて、上記金属パネル板の表面のうち上記コネクタ類が圧接される部分には上記塗装をせず、上記コネクタ類の金属枠を上記金属パネルに直接接触させて上記金属パネルと電気的に導通させたことを特徴とする。
【０００９】
なお、上記金属パネル板が、上記電子内視鏡用プロセッサの背面を塞ぐ背面パネルであってもよく、上記コネクタ類の金属枠がアース線に接続されていてもよい。
【００１０】
【発明の実施の形態】
図面を参照して本発明の実施の形態を説明する。
図２は、電子内視鏡用ビデオプロセッサ１を背面側から見た状態を示している。ビデオプロセッサ１の表面側には、固体撮像素子で観察像を撮像してそれを電気信号にして伝送する電子内視鏡のコネクタ（図示せず）が接続され、電子信号の授受及び照明光の供給等が行われる。
【００１１】
ビデオプロセッサ１の背面を塞いでいる背面パネル板２には、商用電源と接続されるＡＣ入力ソケット１０、録画装置等と接続されるＤサブコネクタ等の通信用コネクタ２０、及びテレビモニタ等と接続されるＢＮＣコネクタ等の映像出力コネクタ３０等が取り付けられている。ＡＣ入力ソケット１０と通信用コネクタ２０は、各々に形成された耳部が、固定ビス１９，２９によって背面パネル板２に押圧固定されている。
【００１２】
図１は、ＡＣ入力ソケット１０部分を示している。ＡＣ入力ソケット１０は表面処理されていない導電性金属からなる金属枠１１によって全体が囲まれていて、背面パネル板２に形成された孔５に通されている。背面パネル板２は、ビデオプロセッサ１のシャーシ３と広い面積で接触して電気的に導通している。
【００１３】
ＡＣ入力ソケット１０の金属枠１１は、ビデオプロセッサ１のシャーシ３にアース線１３によって接続されている。１４は電力線である。ＡＣ入力ソケット１０の外端部に形成された鍔部１２は孔５の径より大きく、固定ビス１９によって背面パネル板２の表面に押圧されている。
【００１４】
背面パネル板２は例えば鉄又はアルミニウムなどのような導電性金属板によって形成されており、その表面には全体に塗料４が塗られている。しかし、ＡＣ入力ソケット１０の鍔部１２が押圧される部分には塗料４が塗られていない。
【００１５】
したがって、背面パネル板２とＡＣ入力ソケット１０は、その部分において広い接触面積を有することになるので、より低いインピーダンスで接続され、その結果、ＡＣ入力ソケット１０が高いシールド効果を発揮する。
【００１６】
図３は、通信用コネクタ２０部分を示している。通信用コネクタ２０は表面処理されていない導電性金属からなる金属枠２１Ａ，２１Ｂによって全体が囲まれていて、背面パネル板２に形成された孔６に通されている。
【００１７】
通信用コネクタ２０の金属枠２１Ａ，２１Ｂは背面パネル板２（ひいてはシャーシ３）に接続されている。２３，２４は信号線である。通信用コネクタ２０の中間部分に形成された鍔部２２は孔６の径より大きく、固定ビス２９によって背面パネル板２の表面に押圧されている。
【００１８】
通信用コネクタ２０の鍔部２２が押圧される背面パネル板２の表面部分には、塗料４が塗られていない。したがって、背面パネル板２と通信用コネクタ２０は、その部分において広い接触面積を有することになるので、より低いインピーダンスで接続され、通信用コネクタ２０が高いシールド効果を発揮する。
【００１９】
図４は、映像出力コネクタ３０部分を示している。映像出力コネクタ３０は、表面処理されていない導電性金属からなる金属枠３１Ａ，３１Ｂによって全体が囲まれていて、外面に雄ねじが形成されている金属枠３１Ａが背面パネル板２に形成された孔７に通されて、固定ナット３９によって固定されている。
【００２０】
映像出力コネクタ３０の金属枠３１Ａ，３１Ｂは背面パネル板２（ひいてはシャーシ３）に接続されている。３４は信号線、３３は、図示されていない基板に接続されるＧＮＤ線である。映像出力コネクタ３０の中間部分に形成された鍔部３２は孔７の径より大きく、固定ナット３９によって背面パネル板２の表面に押圧されている。
【００２１】
映像出力コネクタ３０の鍔部３２が押圧される背面パネル板２の表面部分には、塗料４が塗られていない。したがって、背面パネル板２と映像出力コネクタ３０は、その部分において広い接触面積を有することになるので、より低いインピーダンスで接続され、映像出力コネクタ３０が高いシールド効果を発揮する。
【００２２】
なお、背面パネル板２の表面に塗料４が塗られていない部分を形成する作業としては、塗装工程においてそれらの部分にマスキングをしてもよいし、背面パネル板２全体を一度塗装した後で、必要な部分だけ機械的又は化学的に塗装を除去してもよい。
【００２３】
【発明の効果】
本発明によれば、金属パネル板の表面のうちコネクタ類が圧接される部分には塗装をせず、コネクタ類の金属枠を金属パネルに直接接触させて金属パネルと電気的に導通させたことにより、パネル板とコネクタ類とが広い接触面積で電気的に導通し、より低いインピーダンスで接続することができるので、パネル板に取り付けられたコネクタ類の部分でのシールド効果を高めることができ、ノイズの放射及び侵入に対して大きな阻止効果を発揮することができる。
【図面の簡単な説明】
【図１】本発明の実施の形態のＡＣ入力ソケット部分の側面断面図である。
【図２】本発明の実施の形態のビデオプロセッサの背面側から見た斜視図である。
【図３】本発明の実施の形態の通信用コネクタ部分の側面断面図である。
【図４】本発明の実施の形態の映像出力コネクタ部分の側面断面図である。
【図５】従来のＡＣ入力ソケット部分の側面断面図である。
【符号の説明】
１  ビデオプロセッサ
２  背面パネル板
３  シャーシ
４  塗料
５，６，７  孔
１０  ＡＣ入力ソケット
１１，２１Ａ，２１Ｂ，３１Ａ，３１Ｂ  金属枠
１２，２２，３２  鍔部
１３，３３  アース線
２０  通信用コネクタ
３０  映像出力コネクタ
【図１】
0004390313.tif 000002
【図２】
0004390313.tif 000003
【図３】
0004390313.tif 000004
【図４】
0004390313.tif 000005
【図５】
0004390313.tif 000006